(57)【特許請求の範囲】
【請求項１】
遊技盤に発射された遊技球を受入れ可能な球受入口を有し、この球受入口から受入れられた遊技球を振り分けるパチンコ遊技機の振分装置において、
前記球受入口を開閉する開閉部材と、
前記開閉部材を開閉駆動する開閉駆動機構と、
前記球受入口に対して遊技球流れ方向の下流側に設けられた第１，第２球振分口とを設け、
前記第１，第２球振分口は、共通の球振分導入空間の下端部に連なると共に、第２球振分口が第１球振分口よりも前記開閉部材側に位置する隣接状に配設され、
前記開閉部材が球受入口を開放状態から閉塞状態に移行するときには、第２球振分口を開放して遊技球の第２球振分口への導入を許容し、且つ開閉部材が球受入口を開放している開放状態であるときには、遊技球の第１球振分口への導入を案内すると共に前記第２球振分口を閉塞して遊技球の第２球振分口への導入を禁止する球振分口開閉部を備えたことを特徴とするパチンコ遊技機の振分装置。
【発明の詳細な説明】
【技術分野】
【０００１】
本発明は、遊技盤に発射された遊技球を振り分けるパチンコ遊技機の振分装置に関するものである。
【背景技術】
【０００２】
従来、パチンコ遊技機の振分装置は、遊技盤に発射された遊技球を受入れ可能な球受入口を有し、この球受入口から受入れられた遊技球を振り分けるものであり、そのために、球受入口に対して遊技球流れ方向の下流側に第１，第２球振分口が設けられている。この種の振分装置において、球受入口を開閉する開閉部材、開閉部材を開閉駆動する開閉駆動機構を備えたもの（例えば、特許文献１、非特許文献１参照）が公知である。
【０００３】
特許文献１の振分装置では、センタ役物の左上部に球受入口と開閉部材が設けられ、センタ役物の下部内部に第１，第２球振分口が設けられている。球受入口から受入れられた遊技球は、球誘導通路でセンタ役物の下部内部に設けられたステージに誘導され、そこで、第１，第２球振分口の何れかに択一的に振り分けられる。第２球振分口（特定入賞口）に入賞した場合、大入賞口が複数ラウンドに亙って開閉する大当り遊技状態が発生する。
【０００４】
非特許文献１の振分装置では、センタ役物の上部に球受入口、第１，第２球振分口、開閉部材が設けられ、第１，第２球振分口から夫々第１，第２球誘導通路が延びている。第１，第２球誘導通路で夫々誘導された遊技球は、センタ役物の下部内部に設けられた特定入賞口を有する機械式抽選装置に導入される。遊技球が第２球誘導通路（スペシャルルート）から導入された場合に、第１球誘導通路（ノーマルルート）から導入された場合よりも、特定入賞口に入賞する（つまり、大当り遊技状態が発生する）確率が高くなる。
【０００５】
球受入口よりも右方に第１，第２球振分口が位置し、第１球振分口よりも右方に且つ上方に第２球振分口が位置している。球受入口から受入れられた遊技球に対して、第１，第２球振分口自体は常時開放されており、故に、その遊技球は第１，第２球振分口の何れにも入る可能性がある。始動口への遊技球の入賞を契機に行われる抽選で当選したことを含む所定条件成立時に、球受入口が１又は複数回開閉され、その間に、球受入口から遊技球を受入れ可能になる。球受入口から受入れられた遊技球の多くは第１球振分口に入るが、開閉部材が球受入口を閉塞する動作によって、遊技球が第１球振分口の上側を飛越えるように開閉部材で押動されることで始めて第２球振分口に入るようになる。
【先行技術文献】
【特許文献】
【０００６】
【特許文献１】特開２００６−５１０９６号公報
【非特許文献】
【０００７】
【非特許文献１】双葉社，２００９年４月１２日発行，パチンコ攻略マガジン，第２１巻第１０号通巻５９３号，Ｐ．７５〜７７
【発明の概要】
【発明が解決しようとする課題】
【０００８】
非特許文献１のような振分装置では、前記のように、球受入口から受入れられた遊技球に対して、第１，第２球振分口自体は常時開放されているため、故に、その遊技球は第１，第２球振分口の何れにも入る可能性がある。そのため、球受入口、第１，第２球振分口、開閉部材の形状やサイズや配置、開閉部材の開閉動作等に基づいて、遊技球を第１，第２球振分口の何れかに択一的に振り分ける振分率が設定されたとしても、その振分率を安定させる（所望の振分率に安定的に設定する）のに限界がある。
【０００９】
非特許文献１の振分装置では、更に、球受入口から受入れられた遊技球の多くが第１球振分口に入るのに対して、開閉部材が球受入口を閉塞する動作によって、遊技球が第１球振分口の上側を飛越えるように開閉部材で押動されることで始めて第２球振分口に入るようになる。そのため、遊技球が第２球振分口に入る可能性は自ずと低くなり、遊技球が第２球振分口に入る割合を高くするように、前記振分率を設定するのにも限界がある。
【００１０】
前記振分率が不安定であることは、遊技盤への遊技球の発射総数に対して、大当り遊技状態の発生回数が予想される平均的な発生回数よりも多すぎる、或いは、少なすぎる（この場合、遊技者は興味を削がれ、パチンコ遊技機の稼働率が低下する要因にもなる）原因になる。つまり、パチンコ遊技機の所期の遊技性能が発揮されない原因になる。
【００１１】
本発明の目的は、遊技球を第１，第２球振分口の何れかに択一的に振り分ける振分率を安定させることができる、パチンコ遊技機の振分装置を提供することである。
【課題を解決するための手段】
【００１２】
請求項１の発明は、遊技盤(4)に発射された遊技球(B)を受入れ可能な球受入口(40)を有し、この球受入口(40)から受入れられた遊技球(B)を振り分けるパチンコ遊技機(1)の振分装置(16)において、前記球受入口(40)を開閉する開閉部材(42)と、前記開閉部材(42)を開閉駆動する開閉駆動機構(43)と、前記球受入口(40)に対して遊技球流れ方向の下流側に設けられた第１，第２球振分口(41A,41B)とを設け、前記第１，第２球振分口(41A,41B)は、共通の球振分導入空間(45)の下端部に連なると共に、第２球振分口(41B)が第１球振分口(41A)よりも前記開閉部材側に位置する隣接状に配設され、前記開閉部材(42)が球受入口(40)を開放状態から閉塞状態に移行するときには、第２球振分口(41B)を開放して遊技球の第２球振分口(41B)への導入を許容し、且つ開閉部材(42)が球受入口(40)を開放している開放状態であるときには、遊技球の第１球振分口(41A)への導入を案内すると共に前記第２球振分口(41B)を閉塞して遊技球の第２球振分口(41B)への導入を禁止する球振分口開閉部(51)を備えたことを特徴とする。
【発明の効果】
【００１７】
本発明のパチンコ遊技機の振分装置によれば、遊技球を第１，第２球振分口の何れかに択一的に振り分ける振分率を安定させる（所望の振分率に安定的に設定する）ことができる。
【図面の簡単な説明】
【００２２】
【図１】実施例１のパチンコ遊技機の正面図である。
【図２】パチンコ遊技機の制御系のブロック図である。
【図３】振分装置の球受入口が開放された状態の正面図である。
【図４】振分装置の球受入口が閉塞された状態の正面図である。
【図５】図３のV −V 線断面図である。
【図６】図４のVI−VI線断面図である。
【図７】メカ式抽選装置の平面図である。
【図８】図７のVIII−VIII線断面図である。
【図９】図７のIX−IX線断面図である。
【図１０】パチンコ遊技機の機能ブロック図である。
【図１１】特定図柄の種類と開閉部材の開閉動作パターンの関係を示す図である。
【図１２】実施例２の振分装置の球受入口が開放された状態の正面図である。
【図１３】実施例２の振分装置の球受入口が閉塞された状態の正面図である。
【図１４】実施例３の振分装置の正面図である。
【図１５】図１４のXV−XV線断面図である。
【発明を実施するための形態】
【００２３】
本発明のパチンコ遊技機の振分装置は、球受入口に対して遊技球流れ方向の下流側に設けられた第１，第２球振分口、球受入口を開閉する開閉部材、開閉部材を開閉駆動する開閉駆動機構、開閉部材が球受入口を閉塞するときに、第２球振分口を開放し、且つ開閉部材が球受入口を開放するときに、第２球振分口を閉塞する球振分口開閉部を備えたものであり、以下、発明を実施するための形態について実施例に基づいて説明する。
【実施例１】
【００２４】
図１に示すように、パチンコ遊技機１には、遊技ホールの島構造体等に取付けられる外枠に開閉枠２が開閉自在に装着され、開閉枠２に開閉扉３が開閉自在に装着されている。開閉枠２に遊技盤４が装着され、その遊技盤４の前面側に遊技領域５が形成されている。開閉扉３に窓３ａが形成され、その窓３ａに透明板３ｂが装着され、その透明板３ｂにより遊技領域５の前側が覆われている。
【００２５】
開閉扉３の窓３ａの下側に、遊技球Ｂを貯留する貯留皿６と、遊技領域５に遊技球Ｂを発射させる発射ハンドル７が装着されている。発射ハンドル７が回動操作されると、貯留皿６から発射位置に導入された遊技球Ｂが発射され、ここで、貯留皿６に複数の遊技球Ｂが存在する場合には、複数の遊技球Ｂが約０．６秒間隔で連続発射される。発射された遊技球Ｂはガイドレール８で案内され遊技領域５の左上部に投入される。
【００２６】
図１、図２に示すように、遊技盤４には、遊技領域５に、多数の障害釘１０、始動口１１、大入賞口装置１２、複数の一般入賞口１３、センタ役物１４、画像表示器１５、振分装置１６、機械式抽選装置１７が装着され、遊技領域５外に遊技表示盤１９が装着され、遊技盤４の裏面側に制御装置２０が装着されている。
【００２７】
始動口１１には、始動口１１に入賞した遊技球Ｂを検出する始動口ＳＷ１１ａが付設され、各一般入賞口１３には、一般入賞口１３に入賞した遊技球Ｂを検出する一般入賞口ＳＷ１３ａが付設されている。尚、ＳＷはスイッチを意味する。大入賞口装置１２は、大入賞口１２ａ、大入賞口１２ａを開閉する開閉部材１２ｂ、大入賞口１２ａに入賞した遊技球Ｂを検出する大入賞口ＳＷ１２ｃ、開閉部材１２ｂを開閉駆動する大入賞口ＳＯＬ１２ｄを有する。尚、ＳＯＬはソレノイドアクチュエータを意味する。開閉部材１２ｂは、大入賞口１２ａへの遊技球Ｂの入賞を閉位置で不可能にし開位置で可能にする。
【００２８】
センタ役物１４は遊技盤４の盤面（前面）よりも前方へ張出す枠状部１４ａを有し、このセンタ役物１４に画像表示器１５と振分装置１６と機械式抽選装置１７が設けられている。画像表示器１５は液晶ディスプレイからなり、その画面がセンタ役物１４の枠状部１４ａの内側から前方へ臨むように配置されている。振分装置１６と機械式抽選装置１７については後で詳しく説明する。
【００２９】
遊技表示盤１９は、遊技領域５の下部右側に前方へ向けて配置され、図柄表示器１９ａ、保留ランプ１９ｂを備えている。図柄表示器１９ａは、始動口１１への遊技球Ｂの入賞を契機に図柄を変動させその後停止させるように表示する。図柄保留ランプ１９ｂには、始動口１１に入賞し且つ図柄変動に有効な遊技球Ｂの数が最大で４個まで表示され、その保留数は図柄表示器１９ａでの図柄変動の開始毎に減算される。
【００３０】
発射ハンドル７を回動操作することで、遊技領域５に発射投入された遊技球Ｂは、複数の障害釘１０に当たって方向を変えながら落下して、始動口１１、大入賞口装置１２、複数の一般入賞口１３、振分装置１６（機械式抽選装置１７）の何れかに入った場合、そこから遊技領域５外へ排出され、そうならなかった場合には、最終的に、遊技領域５の下端部に形成されたアウト口９から遊技領域５外へ排出される。
【００３１】
次に、パチンコ遊技機１の制御系について説明する。
図２に示すように、制御装置２０は、メイン制御装置２１とサブ制御装置２５とで構成されている。メイン制御装置２１は、遊技制御基板２２にＣＰＵとＲＯＭとＲＡＭを備えて構成され、遊技制御基板２２は盤用外部情報端子基板２３に接続されている。
【００３２】
サブ制御装置２５は、払出制御基板２６、演出制御基板２７、画像制御基板２８、ランプ制御基板２９から構成され、この複数の制御基板２６〜２９は夫々ＣＰＵとＲＯＭとＲＡＭを備え、更に、演出制御基板２７はＲＴＣを備え、払出制御基板２６は枠用外部情報端子基板２４に接続されている。
【００３３】
遊技制御基板２２は、始動口ＳＷ１１ａ、大入賞口ＳＷ１２ｃ、一般入賞口ＳＷ１３ａ、特定入賞口ＳＷ６７からの検出信号と、払出制御基板２６からの制御情報を受けて、大入賞口ＳＯＬ１２ｄ、振分開閉ＳＯＬ５５、抽選用回転モータ６２、図柄表示器１９ａ、保留ランプ１９ｂを制御し、払出制御基板２６と演出制御基板２７と盤用外部情報端子基板２３に制御情報（遊技情報）を出力する。
【００３４】
払出制御基板２６は、遊技制御基板２２からの制御情報と、払出球検出ＳＷ３１、球有り検出ＳＷ３２、満タン検出ＳＷ３３からの検出信号を受けて、払出駆動モータ３０を制御し、入賞口１１、１２ａ，１３への遊技球Ｂの入賞１個について、入賞口１１、１２ａ，１３毎に設定された数の遊技球Ｂを貯留皿６に払出し、遊技制御基板２２と枠用外部情報端子基板２４に制御情報（払出情報）を出力する。
【００３５】
演出制御基板２７は、遊技制御基板２２からの制御情報と、貯留皿６に設けられた演出ボタン３５からの操作信号と、第１，第２球振分口ＳＷ４６Ａａ，４６Ｂａからの検出信号を受けて、画像制御基板２８に制御情報を出力し、更に、画像制御基板２８からの制御情報を受けて、ランプ制御基板２９に制御情報を出力する。
【００３６】
画像制御基板２８は、演出制御基板２７からの制御情報を受けて、画像表示器１５とスピーカ３４とを制御し、演出制御基板２７に制御情報を出力する。ランプ制御基板２９は、演出制御基板２７からの制御情報を受けて、主に画像制御基板２８による制御に同期させて、枠ランプ３６と盤ランプ３７とを制御する。
【００３７】
振分装置１６と機械式抽選装置１７について詳しく説明する。
図１〜図６に示すように、振分装置１６は、遊技盤４（遊技領域５）に発射された遊技球Ｂを受入れ可能な球受入口４０を有し、この球受入口４０から受入れられた遊技球Ｂを振り分けるものである。振分装置１６は、球受入口４０の他に、第１，第２球振分口４１Ａ，４１Ｂ、開閉部材４２、開閉駆動機構４３、球受部材４４、球振分導入空間４５、第１，第２球誘導通路４６Ａ，４６Ｂを備えている。
【００３８】
球受入口４０、第１，第２球振分口４１Ａ，４１Ｂ、開閉部材４２、開閉駆動機構４３、球受部材４４、球振分導入空間４５はセンタ役物１４の左部及び左部近傍に設けられている。センタ役物１４の左部における枠状部１４ａには、左側から右側へ凹むように、上壁１４ｂと、上壁１４ｂの右端部から下方へ延びる右仕切壁１４ｃとが形成されている。
【００３９】
球受部材４４は、その右上端部が右仕切壁１４ｃの下端部と繋がるように、上壁１４ｂから下方へ所定隙間隔てた位置に配置されている。上壁１４ｂの左端部と球受部材４４の左上端部との間に、球受入口４０が略左方へ向いて、遊技領域５のうちセンタ役物１４の左側に位置する左遊技領域５ａに臨むように形成されている。遊技盤４と透明板３ｂとの間において、上壁１４ｂ、右仕切壁１４ｃ、球受入口４０、開閉部材４２、球受部材４４で囲まれた部分が球振分導入空間４５になる。
【００４０】
第１，第２球振分口４１Ａ，４１Ｂは、球受入口４０に対して遊技球Ｂの流れ方向の下流側に設けられ、球受部材４４によって形成されている。第１，第２球振分口４１Ａ，４１Ｂは球受入口４０よりも右方に位置し、第１球振分口４１Ａは、第２球振分口４１Ｂよりも右方且つ上方に位置している。球受部材４４は、第１，第２球振分口４１Ａ，４１Ｂを夫々形成する第１，第２Ｕ字部４４ａ，４４ｂを有し、この第１，第２Ｕ字部４４ａ，４４ｂの底部に、夫々、遊技球Ｂを後方へ案内する傾斜案内突起４４ａ１，４４ｂ１が後方下がり傾斜状に形成されている。
【００４１】
また、球受部材４４は、第２Ｕ字部４４ｂの左右両上端部から上方へ延びて、それらの間隔が上方程広がる壁部４４ｃ，４４ｄを有する。壁部４４ｄの上部は第１Ｕ字部４４ａの左端部を含み、両壁部４４ｃ，４４ｄの上端は略同じ高さ位置にあり、両壁部４４ｃ，４４ｄの上端間の幅は、第１Ｕ字部４４ａの左右両上端間の幅の２〜３倍程度ある。
【００４２】
開閉部材４２は、球受入口４０を開閉する球受入口開閉部５０と、第２球振分口４１Ｂを開閉する球振分口開閉部５１とを有し、この両開閉部５０，５１は一体成形されている。つまり、開閉部材４２に球振分口開閉部５１が一体的に設けられている。開閉部材４２は、球受入口開閉部５０が球受入口４０を閉塞するときに、球振分口開閉部５１が第２球振分口４１Ｂを開放し（図３参照）、球受入口開閉部５０が球受入口４０を開放するときに、球振分口開閉部５１が第２球振分口４１Ｂを閉塞する（図４参照）。
【００４３】
開閉部材４２には、球受入口開閉部５０と球振分口開閉部５１との境界部分に、遊技盤４の盤面直交方向に向く軸５２が嵌合固着（又は一体形成）されている。開閉部材４２は、この軸５２回りに軸５２を介して回動自在に遊技盤４に支持されている。軸５２は球受部材４４の壁部４４ｃの上端近傍に配置され遊技盤４を貫通している。尚、軸５２以外に、開閉部材４２を遊技盤４に回動自在にガイド支持するガイドピン等を有するガイド機構を別途設けてもよい。
【００４４】
開閉部材４２は、球受入口４０を完全に閉塞した閉塞位置で鉛直に近い姿勢になり、このとき、球振分口開閉部５１が球受部材４４の壁部４４ｃの内面に近接した状態になる（図３参照）。また、開閉部材４２は、閉塞位置から左側へ５０〜６０度程度回動して球受入口４０を完全に開放する開放位置で右方斜め下方へ傾斜した姿勢になり、球振分口開閉部５１の右端部が球受部材４４の壁部４４ｄの上端近傍に位置する状態になる。
【００４５】
球受入口開閉部５０と球振分口開閉部５１の内面には夫々案内面５０ａ，５１ａが連続的に形成されている。球受入口開閉部５０が球受入口４０を開放しているとき、つまり、球振分口開閉部５１が第２球振分口４１Ｂを閉塞しているときに、球受入口開閉部５０は、その案内面５０ａによって、左遊技領域５ｂにおいて落下する遊技球Ｂを受止める機能を有するとともに、両開閉部５０，５１は、それらの案内面５０ａ，５０ｂによって、遊技球Ｂを第１球振分口４１Ａに案内する案内機能を有する。
【００４６】
開閉駆動機構４３は、開閉部材４２を図３の閉塞位置と図４の開放位置とに亙って開閉駆動するものであり、遊技盤４の裏面側に配置された振分開閉ＳＯＬ５５とレバー部材５６とを有する。レバー部材５６の一端部が軸５２に固着され、振分開閉ＳＯＬ５５は、レバー部材５６に回動力を伝達可能に、その本体部が遊技盤４に固定され、プランジャ５５ａの先端部に、レバー部材５６の他端部が回動自在に且つレバー部材５６の長さ方向にスライド自在にピン結合されている。
【００４７】
振分開閉ＳＯＬ５５がオフのとき、プランジャ５５ａが突出して、図示略の復帰バネ（尚、振分開閉ＳＯＬ５５の復帰バネを適用してもよい）により、開閉部材４２が閉塞位置に保持される。振分開閉ＳＯＬ５５がオンされると、プランジャ５５ａが退入して、開閉部材４２が閉塞位置から開放位置に回動され、その後、振分開閉ＳＯＬ５５がオフされると、前記復帰バネにより、開閉部材４２が開放位置から閉塞位置に回動され復帰する。
【００４８】
第１，第２球誘導通路４６Ａ，４６Ｂは、第１，第２球振分口４１Ａ，４１Ｂから夫々センタ役物１４の左部及び下部に沿って、センタ役物１４の下部内部（機械式抽選装置１７）へ延びるように配設されている。第１，第２球誘導通路４６Ａ，４６Ｂには第１，第２球振分口４１Ａ，４１Ｂに入った遊技球Ｂを検出する第１，第２球振分口ＳＷ４１Ａａ，４１Ｂａが付設されている。第１，第２球誘導通路４６Ａ，４６Ｂは、夫々、第１，第２球振分口４１Ａ，４１Ｂに入った遊技球Ｂをセンタ役物１４の下部内部まで逆流させないように誘導するために、高さ位置が下流側程低くなる。
【００４９】
図１、図２、図７〜図９に示すように、機械式抽選装置１７は、振分装置１６に付設されたもので、センタ役物１４の下部内部に設けられている。機械式抽選装置１７は、第１，第２球誘導通路４６Ａ，４６Ｂで夫々遊技球Ｂが誘導されたことで抽選を行い、遊技球Ｂが第２球誘導通路４６Ｂで誘導された場合に第１球誘導通路４６Ａで誘導された場合よりも、遊技者に有利になる抽選結果を導出する可能性が高くなる。
【００５０】
この機械式抽選装置１７は、遊技球Ｂの入賞により大当り遊技状態を発生させる特定入賞口６３を有する。このメカ式抽選装置１７に第１，第２球誘導通路４６Ａ，４６Ｂで夫々誘導された遊技球Ｂが導入されるとともに、遊技球Ｂが第２球誘導通路４６Ｂから導入された場合に第１球誘導通路４６Ａから導入された場合よりも、特定入賞口６０に入賞する確率が高くなる（例えば、前者の場合に特定入賞口６０に入賞する確率が１／２になり、後者の場合に特定入賞口６０に入賞する確率が１／８になる）ように構成されている。
【００５１】
機械式抽選装置１７の具体例について説明すると、抽選用回転体６０が鉛直軸心回りに回転するように設けられ、その底面と外周面が回転体受皿６１の底壁と外周壁に摺動自在に当接している。抽選用回転体６０の外周側部分に、回転体受皿６１と協働して、遊技球Ｂを夫々載置保持可能な１つの当り球載置部６０ａと７つの外れ球載置部６０ｂからなる合計８つの球載置部６０ａ，６０ｂが、周方向等間隔おきに仕切られて形成されている。
【００５２】
抽選用回転体６０において、各球載置部６０ａ，６０ｂの底部は径方向外側程高さが低くなるように形成され、当り球載置部６０ａの底部には開口６０ｃが形成されている。回転体受皿６１の前部底部に、抽選用回転体６０の外周側部分の下側に位置するように特定入賞口６３が形成され、回転体受皿６１の前部から前方へ突出する受皿突出部６１ａの底部に非特定入賞口６４が形成されている。
【００５３】
抽選用回転体６０には、その中心から当り球載置部６０ａの方へ向かって下方へ傾斜する当り誘導路６０ｄと、その中心から当り球載置部６０ａと反対側の１つの外れ球載置部６０ｂの方へ向かって下方へ傾斜する外れ誘導路６０ｅが形成されている。抽選用回転モータ６２により、抽選用回転体６０が規則的に回転するように駆動され、そのために、抽選用回転モータ６２が回転体受皿６１の下側に上向きに配置され、その出力軸６２ａが回転体受皿６１を挿通して、抽選用回転体６０の中心部に嵌合固着されている。
【００５４】
第１球誘導通路４６Ａから導入された遊技球Ｂは、定位置から８つの球載置部６０ａ，６０ｂの何れか１つに直接移載され、当り球載置部６０ａに移載されるか外れ球載置部６０ｂに移載されるかは、回転体受皿６１の回転位置によって決まり、１／８の確率で当り球載置部６０ａに移載される。また、第２球誘導通路４６Ｂから導入された遊技球Ｂは、先ず、定位置から当り誘導路６０ｄと外れ誘導路６０ｅに境界部分に落とされ、そこから、回転体受皿６１の回転位置に関わらず、当り球載置部６０ａと１つの外れ球載置部６０ｂの何れかに移載され、１／２の確率で当り球載置部６０ａに移載される。
【００５５】
当り球載置部６０ａに載置された遊技球Ｂは、その当り球載置部６０ａが特定入賞口６３と一致した位置で、開口部６０ｃを通過して特定入賞口６３に入賞し、外れ球載置部６０ｂに載置された遊技球Ｂは、その外れ球載置部６０ｂが受皿突出部６１ａと一致した位置で、受皿突出部６１ａへ移動して非特定入賞口６４に入賞する。入賞口６３，６４に入賞した遊技球Ｂは、夫々、球排出路６５，６６を通って外部へ排出される。特定入賞口ＳＷ６７により、特定入賞口６３に入賞した遊技球Ｂが検出される。
【００５６】
ところで、図１０に示すように、メイン制御装置２１（遊技制御基板２２）により、乱数取得手段２１ａ、乱数判定手段２１ｂ、振分開閉制御手段２１ｃ、開閉動作パターン記憶手段２１ｄ、大入賞口開閉制御手段２１ｅが構成されている。
【００５７】
乱数取得手段２１ａは、始動口１１への遊技球Ｂの入賞を契機に乱数値を取得し、乱数判定手段２１ｂは、乱数取得手段２１ａで取得された乱数値に基づいて図柄の種類を判定する。乱数判定手段２１ｂで判定された種類の図柄が図柄表示器１９ａに変動後に表示される。振分開閉制御手段２１ｃは、振分装置１６に含まれるものであり、図柄表示器１９ａに乱数判定手段２１ｂで判定された特定図柄が表示された場合に、振分装置１６の開閉部材４２を開閉させるように、振分開閉ＳＯＬ５５を制御する。
【００５８】
ここで、図１１に示すように、乱数判定手段２１ｂは、特定図柄として、複数種類の特定図柄（第１特定図柄、第２特定図柄、第３特定図柄・・・）の何れか１つを選択的に判定し、開閉動作パターン記憶手段２１ｄには、特定図柄の種類別に異なる開閉部材４２の開閉動作パターンが記憶されている。表示された特定図柄の種類に対応する開閉動作パターンとなるように、振分開閉制御手段２１ｃにより振分開閉ＳＯＬ５５が制御される。大入賞口開閉制御手段２１ｅは、特定入賞口ＳＷ６７により遊技球Ｂが検出された場合、大入賞口１２ａが複数ラウンドに亙って開閉する大当り遊技状態が発生するように、大入賞口ＳＯＬ１２ｄを制御する。
【００５９】
パチンコ遊技機１の振分装置１６の作用・効果について説明する。
通常、遊技者は、発射ハンドル７を操作し、始動口１１を狙って遊技球Ｂを発射して遊技を行う。遊技球Ｂが始動口１１に入賞すると抽選を受けることができ、その抽選で当選した場合（図柄表示器１９ａに特定図柄が表示された場合）、振分装置１６が作動して、開閉部材４２が比較的短い時間で球受入口４０を１又は複数回開閉する。
【００６０】
開閉部材４２は、球受入口開閉部５０が球受入口４０を開放するときに、球振分口開閉部５１が第２球振分口４１Ｂを閉塞し、開閉部材４２の開放位置において、球受入口４０が完全に開放されるとともに、第２球振分口４１Ｂが完全に閉塞される。また、開閉部材４２は、球受入口開閉部５０が球受入口４０を閉塞するときに、球振分口開閉部５１が第２球振分口４１Ｂを開放し、開閉部材４２の閉塞位置において、球受入口４０が完全に閉塞されるとともに、第２球振分口４１Ｂが完全に開放される。
【００６１】
開閉部材４２が開放位置のとき、球受入口開閉部５０の案内面５０ａによって、左遊技領域５ｂにおいて落下する遊技球Ｂが受止められると、その遊技球Ｂは、球受入口開閉部５０と球振分口開閉部５１の両案内面５０ａ，５１ａによって、第１球振分口４１Ａに案内される。但し、遊技球Ｂが案内面５０ａ，５１ａ上にある状態で、開閉部材４２が球受入口４０を閉塞し始めた場合、つまり、球振分口開閉部５１が第２球振分口４１Ｂを開放し始めた場合、その後、案内面５０ａ，５１ａ上の遊技球Ｂは、その案内面５０ａ，５１ａによって、第２球振分口４１Ｂの方へ案内される。
【００６２】
開閉部材４２が開放位置から閉塞位置へ回動する直前に、或いは、開閉部材４２が閉塞位置に回動している途中に、案内面５０ａで受止められた遊技球Ｂが第２球振分口４１Ｂに確実に入ることになる。基本的に、開閉部材４２の開放時間が長くなる程、遊技球Ｂが第１球振分口４１Ａに入る割合が高くなり、開閉部材４２の開閉回数が多くなる程、遊技球Ｂが第２球振分口４１Ｂに入る割合が高くなる。そして、遊技球Ｂが第１球受入口４１Ａに入った場合、１／８の確率で大当り遊技状態が発生し、遊技球Ｂが第２球受入口４１Ｂに入った場合、１／２の確率で大当り遊技状態が発生する。
【００６３】
尚、第１，第２球振分口４１Ａ，４１Ｂに夫々入った（つまり、第１，第２球誘導通路４６Ａ，４６Ｂで夫々誘導される）遊技球Ｂについては、第１，第２球振分口ＳＷ４６Ａａ，４６Ｂａで検出できることから、この検出を契機に、画像表示器１５等を用いて演出を実行し、この場合、遊技球Ｂが第２球振分口４１Ｂに入った場合に第１球振分口４１Ａに入った場合よりも、大当り遊技状態の発生に期待を持つことができる遊技演出を実行することができる。
【００６４】
開閉部材４２が球受入口４０を閉塞するときに、第２球振分口４１Ｂを開放し、且つ開閉部材４２が球受入口４０を開放するときに、第２球振分口４１Ｂを閉塞する球振分口開閉部５１を設けたので、開閉部材４２の開閉動作、球受入口４０、第１，第２球振分口４１Ａ，４１Ｂ、開閉部材４２、球振分口開閉部５１の形状、サイズ、配置を加味して、遊技球Ｂを第１，第２球振分口４１Ａ，４１Ｂの何れかに択一的に振り分ける振分率を安定させる（所望の振分率に安定的に設定する）ことができる。
【００６５】
開閉部材４２に球振分口開閉部５１を一体的に設けたので、開閉部材４２と球振分口開閉部５１とを１部品で構成することができ、また、球振分口開閉部５１を開閉駆動する機構を別途設ける必要がないため、部品点数を低減し、構造を簡単化し、製作コスト的に有利になる。球振分口開閉部５１は、第２球振分口４１Ｂを閉塞しているときに、遊技球Ｂを第１球振分口４１Ａに案内する案内機能を有するので、球振分口開閉部５１上の遊技球Ｂを第１球振分口４１Ａの方へ確実に導くことができる。しかも、球振分口開閉部５１が第２球振分口４１Ｂを開放する際、前記案内機能が解除され、球振分口開閉部５１上の遊技球Ｂを第２球振分口４１Ｂの方へ導くことができる。
【００６６】
第１，第２球誘導通路４６Ａ，４６Ｂで夫々遊技球Ｂが誘導されたことで抽選を行う機械式抽選装置１７を付設し、遊技球Ｂが第２球誘導通路４６Ｂで誘導された場合に第１球誘導通路４６Ａで誘導された場合よりも、遊技者に有利になる抽選結果を導出する可能性が高くなるので、遊技性を高めることができ、しかも、前記振分率を所望の振分率に安定的に設定できることから、遊技盤４への遊技球Ｂの発射総数に対して、予想される大当り遊技状態の平均的な発生回数を安定させて、パチンコ遊技機１の所期の遊技性能を発揮させることが可能になる。
【００６７】
このメカ式抽選装置１７は、遊技球Ｂの入賞により大当り遊技状態を発生させる特定入賞口６３を有する抽選装置であるので、乱数抽選とは異なり、遊技者がメカ式抽選装置１７による抽選動作を見て楽しむことができ、遊技性を一層高めることができる。
【実施例２】
【００６８】
図１２、図１３に示すように、実施例２の振分装置１６Ｃは、実施例１の振分装置１６の開閉部材４２と開閉駆動機構４３を変更し、球振分口開閉部材７０を備えたものである。尚、実施例１と同じものには同一符号を付して詳細な説明を省略する。この振分装置１６Ｃにおいて、開閉部材４２Ｃは、球受入口４０のみを開閉し、実施例１の開閉部材４２の球振分口開閉部５１を省略したものである。
【００６９】
開閉部材４２Ｃが球受入口４０を閉塞するときに、球振分口開閉部材７０が第２球振分口４１Ｂを開放し（図１２参照）、開閉部材４２Ｃが球受入口４０を開放するときに、球振分口開閉部材７０が第２球振分口４１Ｂを閉塞する（図１３参照）。
【００７０】
球振分口開閉部材７０の基端部には、遊技盤４の盤面直交方向に向く軸７１が嵌合固着（又は一体形成）されており、球振分口開閉部材７０は、この軸７１回りに軸７１を介して回動自在に遊技盤４に支持されている。軸７１は球受部材４４の壁部４４ｄの上端近傍に配置され遊技盤４を貫通している。尚、軸７１以外に、球振分口開閉部材７０を遊技盤４に回動自在にガイド支持するガイドピン等を有するガイド機構を別途設けてもよい。
【００７１】
球振分口開閉部材７０は、第２球振分口４１Ｂを完全に開放した開放位置で鉛直に近い姿勢になり（図１２参照）、ここで、仮想線で示すように、球振分口開閉部材７０の先端部が上壁１４ｂに近接するように、上壁１４ｂの高さを低くすると、球振分口開閉部材７０が第１球振分口４１Ａを閉塞することができる。また、球振分口開閉部材７０は、開放位置から左側へ５０〜６０度程度回動して第２球振分口４１Ｂを完全に閉塞する閉塞位置で右方斜め下方へ傾斜した姿勢になり、同じく右方斜め下方へ傾斜した姿勢の開閉部材４２Ｃと略連続する状態になる。
【００７２】
球振分口開閉部材７０の内面に案内面７０ａが形成され、球振分口開閉部材７０が閉塞位置（開閉部材４２Ｃが開放位置）のとき、球振分口開閉部材７０は、その案内面７０ａによって、開閉部材４２Ｃの案内面５０ａから遊技球Ｂを受取るとともに、その遊技球Ｂを第１球振分口４１Ａに案内する案内機能を有する。
【００７３】
開閉駆動機構４３Ｃは、開閉部材４２を図１２の閉塞位置と図１３の開放位置とに亙って開閉駆動するとともに、球振分口開閉部材７０を図１２の開放位置と図１３の閉塞位置とに亙って回動駆動するものであり、実施例１の開閉駆動機構４３と同様の振分開閉ＳＯＬ５５とレバー部材５６を備え、更に、平行リンク機構７５を備えている。この平行リンク７５は、レバー部材５６と、一端部が軸７２に固着された第２のレバー部材５６と、両端部がレバー部材５６の長さ方向途中部と第２のレバー部材５６の他端部とに夫々回動自在にピン結合されたリンク部材７５とを有する。
【実施例３】
【００７４】
図１４、図１５に示すように、実施例３の振分装置１６Ｄは、実施例１の振分装置１６の開閉部材４２を変更し、第１，第２球振分口開閉部材８０Ａ，８０Ｂ、球振分口開閉駆動機構８２を備えたものである。尚、実施例１と同じものには同一符号を付して詳細な説明を省略する。この振分装置１６Ｄにおいて、開閉部材４２Ｄは、球受入口４０のみを開閉し、実施例１の開閉部材４２の球振分口開閉部５１を省略したものである。
【００７５】
開閉部材４２Ｄが球受入口４０を閉塞するときに、第１球振分口開閉部材８０Ａが第１球振分口４１Ａを閉塞するとともに、第２球振分口開閉部材８０Ｂが第２球振分口４１Ｂを開放し（図１５仮想線参照）、開閉部材４２Ｄが球受入口４０を開放するときに、第１球振分口開閉部材８０Ａが第１球振分口４１Ａを開放するとともに、第２球振分口開閉部材８０Ｂが第２球振分口４１Ｂを閉塞する（図１５実線参照）。
【００７６】
第１，第２球振分口開閉部材８０Ａ，８０Ｂは、夫々、球振分導入空間４５に出没するように、遊技盤４の盤面直交方向へ移動する。第１，第２球振分口開閉部材８０Ａ，８０Ｂは、夫々、遊技盤４を貫通し、遊技盤４の裏面側において、ガイド部材８１Ａ，８１Ｂにより、遊技盤４の盤面直交方向へ移動自在にガイド支持されている。
【００７７】
球振分口開閉駆動機構８２は、第１，第２球振分口開閉部材８０Ａ，８０Ｂを、前記のように動作させるために駆動するものであり、第１，第２ラック部材８３Ａ，８３Ｂ、ピニオン、電動モータ８５を有する。第１，第２ラック部材８３Ａ，８３Ｂは、夫々、第１，第２球振分口開閉部材８０Ａ，８０Ｂから後方へ延びて、それらのギヤ歯が対向するように配置され、このラック部材８３Ａ，８３Ｂの両方の歯にピニオン８４が噛合し、このピニオン８４が遊技盤４に固定的に取付けられた電動モータ８５により回転駆動される。
【実施例４】
【００７８】
図示省略するが、実施例４の振分装置は、実施例１の振分装置１６の機械式抽選装置１７を省略し、第１，第２球誘導通路４６Ａ，４６Ｂで夫々遊技球Ｂが誘導されたことで乱数抽選を行う抽選装置であって、遊技球Ｂが第１，第２球誘導通路４６Ａ，４６Ｂの一方で誘導された場合に第１，第２球誘導通路４６Ａ，４６Ｂの他方で誘導された場合よりも、遊技者に有利になる抽選結果を導出する可能性が高い抽選装置を付設したものである。
【００７９】
この抽選装置では、例えば、第１，第２球振分口ＳＷ４６Ａａ，４６Ｂａを利用し、球振分口ＳＷ４６Ａａ，４６Ｂａで夫々遊技球Ｂが検出された場合に、大当り抽選を行い、その大当り抽選で当選した場合に大当り遊技状態を発生させ、この大当り抽選の当選確率について、第１，第２球振分口ＳＷ４６Ａａ，４６Ｂａの一方での遊技球Ｂの検出に基づく大当り抽選の場合に、第１，第２球振分口ＳＷ４６Ａａ，４６Ｂａの他方での遊技球Ｂの検出に基づく大当り抽選の場合よりも高確率になる。
【００８０】
その他、本発明の趣旨を逸脱しない範囲において、種々の変更を付加して実施可能である。例えば、遊技球Ｂがメカ式抽選装置１７に第１球誘導通路４６Ａから導入された場合に第２球誘導通路４６Ｂから導入された場合よりも、特定入賞口６３に入賞する確率が高くなるように構成してもよい。また、例えば、振分装置の主要構成については、センタ役物１４の左部以外の上部等やセンタ役物１４以外の種々の部位に配置してもよい。尚、第１，第２球振分口が第１，第２球誘導通路と独立に存在しない場合、第１，第２球誘導通路の上流端が第１，第２球振分口になるものとする。
【符号の説明】
【００８１】
Ｂ  遊技球
１  パチンコ遊技機
４  遊技盤
１６，１６Ｃ，１６Ｄ  振分装置
１７  機械式抽選装置
４０  球受入口
４１Ａ，４１Ｂ  第１，第２球振分口
４２，４２Ｃ，４２Ｄ  開閉部材
４３，４３Ｃ  開閉駆動機構
４６Ａ，４６Ｂ  第１，第２球誘導通路
５１  球振分口開閉部
６３  特定入賞口
７０  球振分口開閉部材
８０Ａ，８０Ｂ  第１，第２球振分口開閉部材
８２  球振分口開閉駆動機構
【図１】
0005483533.tif 000002
【図２】
0005483533.tif 000003
【図３】
0005483533.tif 000004
【図４】
0005483533.tif 000005
【図５】
0005483533.tif 000006
【図６】
0005483533.tif 000007
【図７】
0005483533.tif 000008
【図８】
0005483533.tif 000009
【図９】
0005483533.tif 000010
【図１０】
0005483533.tif 000011
【図１１】
0005483533.tif 000012
【図１２】
0005483533.tif 000013
【図１３】
0005483533.tif 000014
【図１４】
0005483533.tif 000015
【図１５】
0005483533.tif 000016